(57)【要約】【課題】フレキシブル性を有するコイル状のマーカーを体内に注入するのに好適であるマーカー注入装置用カートリッジ及びマーカー注入装置を提供すること。【解決手段】マーカー（１０）が外から目視により確認することができるカートリッジ本体（８、１８、３８）の外周に長さ方向にスライド可能な外筒（９、１９、３９）を装着し、前記カートリッジ本体（８、１８、３８）を露出することができるマーカー注入装置用カートリッジ（７、１７、３８）。前記カートリッジ本体（８、１８）の先端に頭部（５、５Ａ）を介して接続管（６）を植設し、該接続管（６）に、開口部（１２Ａ）を形成したシース（１２）を被冠した。【選択図】図１
2004159905.tif 000002
【特許請求の範囲】
【請求項１】
マーカー（１０）が外から目視により確認することができるカートリッジ本体（８、１８、３８）の外周に長さ方向にスライド可能な外筒（９、１９、３９）を装着し、前記カートリッジ本体（８、１８、３８）を露出することができることを特徴とするマーカー注入装置用カートリッジ（７、１７、３８）。
【請求項２】
前記カートリッジ本体（８、１８）の先端に頭部（５、５Ａ）を介して接続管（６）を植設し、該接続管（６）に、開口部（１２Ａ）を形成したシース（１２）を被冠したことを特徴とする前記請求項１に記載のマーカー注入装置用カートリッジ（７、１７）。
【請求項３】
前記カートリッジ本体（３８）の先端に頭部（５Ｅ）を介して接続管（３６）を植設し、前記接続管（３６）に保護部（２１）の内周端部中央部に軸棒（２２）を植設したキャップ（Ｃ１）を被冠したことを特徴とする前記請求項１に記載のマーカー注入装置用カートリッジ（３７）。
【請求項４】
前記カートリッジ（７、３７）の頭部（５、５Ｅ）の後端に係合部（５Ｃ、３５Ｃ）を形成し、前記外筒（９、３９）の先端に係合部（９Ａ、３９Ａ）を形成し相互に係止できるように形成したことを特徴とする前記請求項１ないし３に記載のマーカー注入装置用カートリッジ（７、３７）。
【請求項５】
前記カートリッジ本体（８、１８、３８）の頭部（５、５Ａ、５Ｅ）の略中腹部に留め具（１６）を装着し、該留め具（１６）と外筒（９、１９、３９）の先端内周間の摩擦抵抗により相互に係止できるように形成したことを特徴とする前記請求項１ないし４に記載のマーカー注入装置用カートリッジ（７、１７、３７）。
【請求項６】
カートリッジ本体（２８）はマーカー（１０）が外から目視により確認することができる材料により形成し、該カートリッジ本体（２８）の外周表面に目盛り（２０）を付設し且つ該カートリッジ本体（２８）の先端に頭部（５Ｂ）を介して接続管（６）を植設し、該接続管（６）に、開口部（１２Ａ）を形成したシース（１２）を被冠したことを特徴とするマーカー注入装置用カートリッジ（２７）。
【請求項７】
前記カートリッジ本体（８、１８）に装填したマーカー（１０）の長さを確認することができるように、前記カートリッジ本体（８、１８）の外周表面に目盛り（２０）を付設したことを特徴とする前記請求項１、２、４、５に記載のマーカー注入装置用カートリッジ（７、１７）。
【請求項８】
前記カートリッジ本体（３８）に装填したマーカー（１０）の長さを確認するために、前記カートリッジ本体（３８）の外周表面に０ｃｍから１ｃｍ間隔の目盛り（３０）を付設したことを特徴とする前記請求項（１、３、４、５）に記載のマーカー注入装置用カートリッジ（３７）。
【請求項９】
針管（２Ａ、３２Ａ）を外針基（２Ｂ、３２Ｂ）に植設した外針（２、３２）と、マーカー（１０）を装填可能な前記請求項１ないし８に記載のマーカー注入装置用カートリッジ（７、１７、２７、３７）と、針棒（４Ａ）を内針基（４Ｂ）に植設した内針（４）から構成され、
外針基（２Ｂ、３２Ｂ）の内周と前記カートリッジ（７、１７、２７、３７）の先端部が係合できる形状に形成し、前記カートリッジ（７、１７、２７、３７）の後端部から前記針棒（４Ａ）を挿入して、前記針棒（４Ａ）先端より前記マーカー（１０）を針管（２Ａ、３２Ａ）内に押出すことができるように形成したことを特徴とするマーカー注入装置用カートリッジ（７、１７、２７、３７）及びマーカー用注入装置（１）。
【発明の詳細な説明】
【０００１】
【発明の属する技術分野】
本発明は、例えばワイヤー状（コイル状）及びムク状のマーカー等を注入（埋設）するための注入装置の改良に関する。
【０００２】
【従来の技術及び発明が解決しようとする課題】
現在、ＩＭＲＴ等の外部照射放射線治療、またはブラキーセラピーのような密封小線源治療（組織内照射）において、非放射性・放射線不透過物質からなるマーカーを、照射、移植する目標部位（腫瘍位置）に、各種画像処理機（ＴＲＵＳ（エコー）、ＣＴ、ＭＲＩ、レントゲン等）等で明確に可視、画像処理できるように体内に目印として注入（埋設）している。当該マーカーは術後取り除くことはなく永久留置される。頭部のような部位は皮膚或は人体固定具にも設置されることがある。
これにより、放射線照射目標位置を正確に把握でき、目標位置に放射線を集中することができ、また正常細胞に放射線の悪影響を与えることを軽減し治療の安全性を向上することができる。また放射線源を目標位置に集中できることにより、無駄も少なくなり、時間、コストの軽減することができる。
【０００３】
また当該マーカーは、粒状、円柱状等の形状を優し、カテーテルの中に配置かれているものもある。
特に組織が患者の呼吸、脈拍、その他器官の作用により、体内で常に動いているようなものは、組織内に留置するマーカーが好ましい。
また前記のような一方向一過性の放射線では、マーカーは２次元（平面）でしか位置確認が出来ない。３次元で立体的に見るにはさまざまな方向からの照射が必要となる。
【０００４】
［ブラキーセラピーにおけるマーカー］
例えばブラキーセラピーでは、超音波画像診断装置と放射線画像診断装置、或は超音波画像診断装置単独で、組織位置（この場合は前立腺）確認している。
超音波画像診断装置では３次元で画像処理し組織の輪郭を視認でき、有用であるが、組織の輪郭及びその位置は必ずしも正確とはいいがたい。
そのため、マーカーは組織内の側面に留置され、超音波画像診断装置と放射線画像診断装置を、組織の範囲を正確に把握するために使用している。
［マーカーの形状］
コイル状であることは表面には凹凸が出来ることになるので、超音波画像診断装置でも容易に視認できることは、先般米国で本件発明者のデリバリーシステムを用いた臨床試験で確認済みである。
すなわちコイル状マーカーでは、放射線画像診断装置を用いずとも組織の正確な位置を３次元画像で把握することが可能となり、治療コストの削減はもちろん、治療時間の軽減ができる。
【０００５】
なお既存のマーカーは通常のブラキーセラピーに用いられる放射線源と同形状であり（直径：約０．８ｍｍ、長さ４ｍｍの円柱状）、体内に留置する際には、太い径の１８ゲージ針を用いているため、穿刺傷が大きく、患者に不快感を与えるため好ましくない。
【０００６】
またマーカーではないが、実質的にマーカーの注入にも転用できる可能性のある放射線源等の治療物質注入装置が開示されている。
特許文献１の治療物質注入装置は、ムク状の治療物質を装填したカートリッジを、注入装置に装着し、治療物質を体内に注入（埋設）すると、当該カートリッジに配置されたバネにより次の治療物質が順次、自動的に装填される旨が開示されている。しかし当該治療物質注入装置の形態では、細径のワイヤー状（コイル状）の治療物質（マーカー）については適用できない。
また特許文献２の治療物質注入装置は、ムク状の治療物質をカートリッジに複数個等間隔に配置し、一度の穿刺で治療物質を埋設することができる旨が開示されているが、当該治療物質注入装置の形態も、細径のワイヤー状（コイル状）の治療物質（マーカー）については適用できない。
そこで本発明者は以上の課題を解決する為に、鋭意検討を重ねた結果次の発明に到達した。
【０００７】
【特許文献１】
ＵＳ５８６０９０９（第１図〜第５図）
【特許文献２】
特開２００１−７０４５７号公報（第１図）
【０００８】
【課題を解決する為の手段】
［１］本発明は、マーカー（１０）が外から目視により確認することができるカートリッジ本体（８、１８、３８）の外周に長さ方向にスライド可能な外筒（９、１９、３９）を装着し、前記カートリッジ本体（８、１８、３８）を露出することができるマーカー注入装置用カートリッジ（７、１７、３８）を提供する。
［２］本発明は、前記カートリッジ本体（８、１８）の先端に頭部（５、５Ａ）を介して接続管（６）を植設し、該接続管（６）に、開口部（１２Ａ）を形成したシース（１２）を被冠した前記［１］に記載のマーカー注入装置用カートリッジ（７、１７）を提供する。
［３］本発明は、前記カートリッジ本体（３８）の先端に頭部（５Ｅ）を介して接続管（３６）を植設し、前記接続管（３６）に保護部（２１）の内周端部中央部に軸棒（２２）を植設したキャップ（Ｃ１）を被冠した前記［１］に記載のマーカー注入装置用カートリッジ（３７）を提供する。
［４］本発明は、前記カートリッジ（７、３７）の頭部（５、５Ｅ）の後端に係合部（５Ｃ、３５Ｃ）を形成し、前記外筒（９、３９）の先端に係合部（９Ａ、３９Ａ）を形成し相互に係止できるように形成した前記［１］ないし［３］に記載のマーカー注入装置用カートリッジ（７、３７）を提供する。
［５］本発明は、前記カートリッジ本体（８、１８、３８）の頭部（５、５Ａ、５Ｅ）の略中腹部に留め具（１６）を装着し、該留め具（１６）と外筒（９、１９、３９）の先端内周間の摩擦抵抗により相互に係止できるように形成した前記［１］ないし［４］に記載のマーカー注入装置用カートリッジ（７、１７、３７）を提供する。
［６］本発明は、カートリッジ本体（２８）はマーカー（１０）が外から目視により確認することができる材料により形成し、該カートリッジ本体（２８）の外周表面に目盛り（２０）を付設し且つ該カートリッジ本体（２８）の先端に頭部（５Ｂ）を介して接続管（６）を植設し、該接続管（６）に、開口部（１２Ａ）を形成したシース（１２）を被冠したマーカー注入装置用カートリッジ（２７）を提供する。
［７］本発明は、前記カートリッジ本体（８、１８）に装填したマーカー（１０）の長さを確認することができるように、前記カートリッジ本体（８、１８）の外周表面に目盛り（２０）を付設した前記［１］、［２］、［４］、［５］に記載のマーカー注入装置用カートリッジ（７、１７）を提供する。
［８］本発明は、前記カートリッジ本体（３８）に装填したマーカー（１０）の長さを確認するために、前記カートリッジ本体（３８）の外周表面に０ｃｍから１ｃｍ間隔の目盛り（３０）を付設した前記［１］、［３］、［４］、［５］に記載のマーカー注入装置用カートリッジ（３７）を提供する。
［９］本発明は、針管（２Ａ、３２Ａ）を外針基（２Ｂ、３２Ｂ）に植設した外針（２、３２）と、マーカー（１０）を装填可能な前記［１］ないし［８］に記載のマーカー注入装置用カートリッジ（７、１７、２７、３７）と、針棒（４Ａ）を内針基（４Ｂ）に植設した内針（４）から構成され、
外針基（２Ｂ、３２Ｂ）の内周と前記カートリッジ（７、１７、２７、３７）の先端部が係合できる形状に形成し、前記カートリッジ（７、１７、２７、３７）の後端部から前記針棒（４Ａ）を挿入して、前記針棒（４Ａ）先端より前記マーカー（１０）を針管（２Ａ、３２Ａ）内に押出すことができるように形成したマーカー注入装置用カートリッジ（７、１７、２７、３７）及びマーカー用注入装置（１）を提供する。
【０００９】
【発明の実施の形態】
図１は本発明のマーカー注入装置１（以下「注入装置１」の一例を示す概略図（一部断面図）である。
図１に例示した前記注入装置１は針管２Ａを外針基２Ｂに植設した外針２と、マーカー１０を装填可能なカートリッジ７と、針棒４Ａを内針基４Ｂに植設した内針４から構成されている。
前記外針２は体内に穿刺できるように針管２Ａの先端を鋭利に形成し、該針管２Ａの基端部は外針基２Ｂに装着され、該外針基２Ｂは、前方から後方に亘って小径部２Ｂ１、中径部２Ｂ２、大径部２Ｂ３を連続して一体に形成している。
【００１０】
図２は図１のマーカー注入装置１に使用する本発明のマーカー注入装置用カートリッジ（以下「カートリッジ」と略記する）７の断面図で、図３は前記図２のカートリッジ７の各構成部材の概略図で、（Ａ）は（Ｂ）の外筒９の先端の側面図、（Ｂ）は前記外筒９の長さ方向の断面図、（Ｃ）はカートリッジ本体８の概略図である。
カートリッジ７は外筒９とカートリッジ本体８から構成されている。
該外筒９は先端内周に係合部９Ａが形成されている。
前記カートリッジ本体８は、マーカー１０を収納する空間部８Ａを前記カートリッジ本体８の長さ方向の中心部に形成し、先端に頭部５が装着され、後端にはストッパー１５が形成され、該頭部５の後端に前記外筒９の係合部９Ａと係合する係合部５Ｃが形成されている。
前記頭部５に先端をテーパー状に形成した接続管６が植設され、該接続管６にマーカー１０の外径より小さな開口部１２Ａを形成したシース１２が被冠されている。
該シース１２は軟らかい材質で形成し、前記開口部１２Ａをマーカー１０の外径より小さな径に形成することによりマーカー１０が前記開口部１２Ａから容易に抜け落ちることはなく、マーカー１０の後端を針棒４Ａの先端で押し出したとき、前記開口部１２Ａを経て外針２の先端方向に移動することができる。
前記カートリッジ本体８はマーカー１０を目視できる材料から形成されている。
前記頭部５の係合部５Ｃと外筒９の係合部９Ａが相互に係止できるように形成され、カートリッジ本体８の外周に外筒９が装着されている。カートリッジ７の後端にキャップＣが装着されている。
図４はカートリッジ７の外筒９を回動し後方の長さ方向にスライドさせカートリッジ本体８を露出した時の概略図である。
なお、前記図４の概略図のようにカートリッジ本体８を露出した時、外筒９の係合部９Ａが前記ストッパー１５の先端で係止するので外筒９がカートリッジ本体８から外れることはない。
【００１１】
図５はカートリッジ７のその他の実施例を示すカートリッジ１７の断面図で、図６はカートリッジ１７の外筒１９を後方の長さ方向にスライドさせカートリッジ本体１８を露出した時の概略図である。
該カートリッジ１７は前記カートリッジ７のように外筒９をカートリッジ本体８に係止する時の係合部９Ａと５Ｃを形成する代わりに、止め具１６を頭部５Ａに装着して外筒１９をカートリッジ本体１８に係止することができるようにしたものである。
すなわちカートリッジ本体１８の先端に頭部５Ａを装着し、該頭部５Ａの略中腹部に留め具１６を装着する。該留め具１６は摩擦抵抗の高い材料（例えばゴムやシリコーン等の弾性体）から形成され、その形状の一例としてＯ−リング等を使用することができる。
前記留め具１６と外筒１９の先端内周の摩擦抵抗により、カートリッジ本体１８と外筒１９は相互に係止できる。
前記外筒１９を後方の長さ方向にスライドさせカートリッジ本体１８を露出させる。その際外筒１９の前方内周壁面に形成した突部１９Ａにより、カートリッジ本体１８の後端に形成したストッパー２５で係止するので、該外筒１９がカートリッジ本体１８から外れることはない。
【００１２】
前記カートリッジ１７のカートリッジ本体１８の表面にマーカー１０の長さを確認する為の目盛り２０が付設されている。該目盛りは接続管６の先端からの長さで、例えばこの場合１ｃｍ間隔で目盛りを付設しカートリッジ本体１８の端部に２ｃｍの目盛りが付設され、６ｃｍまで付設されている。同様にカートリッジ７、２７のカートリッジ本体８、２８にも目盛りを付設することができる。
【００１３】
図７は本発明のその他の実施例を示すカートリッジ２７の断面図である。
該カートリッジ２７のカートリッジ本体２８はマーカー１０が外から目視により確認することができる材料により形成される。
【００１４】
図８はキャップＣ１の断面図で、図９は前記キャップＣ１を装着したカートリッジ３７の断面図である。図１０は前記カートリッジ３７の外筒３９を後方の長さ方向にスライドさせカートリッジ本体３８を露出した時の概略図である。
前記キャップＣ１は保護部２１の内周端部中央に軸棒２２が植設されている。
前記カートリッジ３７は、前記カートリッジ７と基本的に同様の形状であり、カートリッジ本体３８の先端に頭部５Ｅが形成され、該頭部５Ｅに係合部３５Ｃと外筒３９の係合部３９Ａが相互に係止できるように形成され、カートリッジ本体３８の外周に外筒３９が装着されている。前記カートリッジ３７とカートリッジ７と異なる点は接続管６より短い接続管３６が頭部５Ｅに植設されていることである。さらにカートリッジ本体３８の前方から後方の長さ方向に向けての表面に０から６ｃｍまで１ｃｍ間隔で目盛り３０が付設されている。
前記キャップＣ１の軸棒２２を前記接続管３６の通路３６Ａに挿入することにより保護部２１の内周が前記接続管３６の外周に被冠される。この時、前記軸棒２２の先端は、前記カートリッジ本体３８に付設した目盛り３０の０に位置するように長さを設定する。
従ってカートリッジ３７に装填されたマーカー１０は全てカートリッジ本体３８の収納空間部３８Ａに現れる。またマーカー１０の先端を軸棒２２の端部に当接することによりマーカー１０の先端は目盛り３０の０に合わさる。
カートリッジ３７では、前記カートリッジ本体１８の頭部５Ａの留め具１６と該カートリッジ本体１８外周に装着した外筒１９の形状はそのまま残し、前記カートリッジ１７の接続管６とシース１２に代えて、接続管３６とキャップＣ１を装着し、カートリッジ本体１８の外周表面に０ｃｍから１ｃｍ間隔で６ｃｍまでの目盛り３０を付設する。
【００１５】
図１１は本発明のカートリッジ１７を一例とした注入装置１のマーカー１０を体内に埋設する時の手順の一例を示す概略図（一部断面図）であり、（１）から（８）の図に従って説明する。なお、前記カートリッジ７、２７も同様な手順で操作することができる。
（１）針棒３Ａを中針基３Ｂに植設した中針３を挿入した外針２の穿刺位置を決める為にマーカー注入用プレート１１（以後「注入用プレート１１」と略記する）を配置して該注入用プレート１１の穿刺孔（目的位置）に前記外針２を穿刺する。（肛門から挿入した超音波診断装置によりモニターを見ながら埋設位置を決定する。）
前記中針３は外針２を体内に穿刺する時の補強体の役目をする他に血液の噴出防止及び体内の組織を壊さない為に外針２に挿入される。
（２）中針３を前記外針２から抜き取る。
（３）予め体内に埋設するマーカー１０を装填したカートリッジ１７を準備しておく。
（４）外針基２Ｂに前記カートリッジ１７の先端を接続する。
中径部２Ｂ２の内周に前記シース１２が装着される。さらに前記カートリッジ１７を押圧し、頭部５Ａの先端が大径部２Ｂ３に当接し且つ接続管６の先端がシース１２の開口部１２Ａから突き出て、前記接続管６の先端外周が小径部２Ｂ１の内周に係合して、カートリッジ本体１８の収納空間１８Ａと針管２Ａが連通する。
（５）カートリッジ１７の後端に装着したキャップＣを外す。
（６）カートリッジ１７の後端から新たに内針４を挿入してマーカー１０を押し出す。外針２の外針基２Ｂにカートリッジ１７の先端を係合させ、該カートリッジ１７の後端と前記内針基４Ｂの先端を係合させた時、前記マーカー１０が針棒４Ａにより針管２Ａの先端から押出されて完全に露出するように、前記針棒４Ａの長さを前記針管２Ａの長さよりも長く形成している。
（７）前記マーカー１０の先端が外針２を介して体内に埋設され且つ前記外針２の先端まで移動した時（挿入した内針３の内針基３Ｂの先端とカートリッジ１７の後端の長さＬがマーカー１０の長さと同じ時）内針２の押し出しを止める。
（８）内針基４Ｂを固定して、外針２及びカートリッジ１７を内針基４Ｂ方向に引っ張りマーカー１０が体内に埋設される。そして外針２及びカートリッジ１７及び内針４を体内から引き抜く。
【００１６】
図１２は本発明のカートリッジ３７を使用した注入装置１のマーカー１０を体内に埋設する時の手順の一例を示す概略図（一部断面図）であり、前記図１１のカートリッジ１７を用いた時と異なる部分について説明する。
なお、前記カートリッジ７、１７も接続管６とシース１２を接続管３６とキャップＣ１に代え、さらにカートリッジ本体８、１８の外周表面に０ｃｍから１ｃｍ間隔で６ｃｍまでの目盛り３０を付設する。該マーカー１０を体内に埋設する操作は、図１１と同様な手順で操作することができる。
（１）針棒３Ａを中針基３Ｂに植設した中針３を挿入した外針３２を、前記図１１の（１）と同様に、注入プレート１１を介して穿刺孔（目的位置）に外針３２を穿刺する。
（２）中針３を前記外針３２から抜き取る。前記外針３２は外針基３２Ｂに針管３２Ａが植設され、該外針基３２Ｂは前方に小径部３２Ｂ１と後方に大径部３２Ｂ３が一体に形成されている。
（３）予め体内に埋設するマーカー１０を装填したカートリッジ３７のキャップＣ１を外して水平に保ち準備しておく。
（４）外針基３２Ｂの後端に該カートリッジ３７の先端を接続する。頭部５Ｅの先端が大径部３２Ｂ３に当接し、前記接続管３６の先端外周が小径部３２Ｂ１の内周に係合してカートリッジ本体３８の収納空間３８Ａと針管３２Ａが連通する後の操作（５）〜（８）は基本的にカートリッジ１７と同じなので詳細な説明は省略する。
【００１７】
【発明の作用効果】
（１）フレキシブル性を有するコイル状のマーカーを体内に注入するのに好適であり、当該コイル状のマーカーも長いものを使用することができるので、組織の大きさを把握するのには有効である。
（２）本発明のカートリッジ７、１７、２７、３７の先端に頭部５、５Ａ、５Ｂ、５Ｅを介して接続管６、３６を植設することにより、横からの強い力に対しても前記接続管６、３６が折れることはない。
（３）前記接続管６に開口部１２Ａを形成したシース１２を被冠することで、外針２の外針基２Ｂの内壁と係合して抵抗なく本発明のカートリッジ７、１７、２７に装填したマーカー１０を外針２先端に押出すことができる。
【図面の簡単な説明】
【図１】本発明のマーカー注入装置１の概略図
【図２】本発明のカートリッジ７の断面図
【図３】前記図２のカートリッジ７の各構成部材の概略図で、（Ａ）は（Ｂ）の外筒９の先端の側面図、（Ｂ）は前記外筒９の長さ方向の断面図、（Ｃ）はカートリッジ本体８の概略図
【図４】カートリッジ７の外筒９を後方の長さ方向にスライドさせカートリッジ本体８を露出した時の概略図
【図５】カートリッジ７のその他の実施例を示すカートリッジ１７の断面図
【図６】カートリッジ１７の外筒１９を後方の長さ方向にスライドさせカートリッジ本体１８を露出した時の概略図
【図７】カートリッジ７のその他の実施例を示すカートリッジ２７の断面図
【図８】キャップＣ１の概略図
【図９】キャップＣ１を装着した本発明のカートリッジ３７の断面図
【図１０】カートリッジ３７の外筒３９を後方の長さ方向にスライドさせカートリッジ本体３８を露出した時の概略図
【図１１】本発明のカートリッジ１７を用いた注入装置１を用いてマーカー１０を体内に埋設する時の操作手順
【図１２】本発明のカートリッジ３８を用いた注入装置１でマーカー１０を体内に埋設する時の操作手順
【符号の説明】
１  マーカー注入装置
２、３２  外針
２Ａ、３２Ａ  針管
２Ｂ、３２Ｂ  外針基
２Ｂ１、３２Ｂ１  小径部
２Ｂ２  中径部
２Ｂ３、３２Ｂ３  大径部
３  中針
３Ａ  針棒
３Ｂ  中針基
４  内針
４Ａ  針棒
４Ｂ  内針基
５、５Ａ、５Ｂ、５Ｄ、５Ｅ  頭部
５Ｃ、３５Ｃ  係合部
６、３６  接続管
７、１７、２７、３７  マーカー注入装置用カートリッジ（カートリッジ）
８、１８、２８、３８  カートリッジ本体
８Ａ、１８Ａ、３８Ａ  収納空間部
９、１９、３９  外筒
９Ａ、３９Ａ  係合部
１０  マーカー
１１  マーカー注入用プレート
１２  シース
１２Ａ  開口部
１５、２５、３５  ストッパー
１６  留め具（Ｏ−リング）
１９Ａ  突部
２０、３０  目盛り
２１  保護部
２２  軸棒
３６Ａ  通路
Ｃ、Ｃ１  キャップ
Ｌ  内針基３Ｂの先端とカートリッジ１７の後端の長さ
【図１】
2004159905.tif 000003
【図２】
2004159905.tif 000004
【図３】
2004159905.tif 000005
【図４】
2004159905.tif 000006
【図５】
2004159905.tif 000007
【図６】
2004159905.tif 000008
【図７】
2004159905.tif 000009
【図８】
2004159905.tif 000010
【図９】
2004159905.tif 000011
【図１０】
2004159905.tif 000012
【図１１】
2004159905.tif 000013
【図１２】
2004159905.tif 000014